(57)【要約】【課題】消費エネルギーの増大を招くことなく冷却対象物の凍結を防止できる冷蔵庫用冷凍機を提供する。【解決手段】送風機１７の送風空気を冷却して冷却対象物に向かって直接冷風を吹き出す蒸発器１６の吹出空気温度Ｔｏｕｔを蒸発器温度センサ２２にて検出し、吹出空気温度Ｔｏｕｔが冷却対象物の凍結温度よりも高い値である第１基準値Ｔｓ１以下になったときに、制御装置２０が送風機１７の送風量を増大させ、さらに、圧縮機１１の冷媒吐出能力を低下させる。これにより、吹出空気温度Ｔｏｕｔを上昇させて、冷却対象物の凍結を防止する。さらに、冷却対象物に向かって直接冷風を吹き出すことができるので、冷蔵庫用冷凍機の消費エネルギーを増大させることもない。【選択図】図２
2008096028.tif 000002
【特許請求の範囲】
【請求項１】
冷却対象空間である庫内へ空気を送風する送風機（１７）と、
前記送風機（１７）から送風された送風空気と冷媒とを熱交換させて冷媒を蒸発させる蒸発器（１６）と、
前記蒸発器（１６）とともに冷凍サイクルを構成し、前記蒸発器（１６）下流側冷媒を圧縮して吐出する圧縮機（１１）と、
前記送風機（１７）の送風量を制御する制御手段（２０）と、
前記蒸発器（１６）から前記庫内へ吹き出す吹出空気温度（Ｔｏｕｔ）を検出する吹出温度検出手段（２２）とを備え、
前記制御手段（２０）は、前記吹出空気温度（Ｔｏｕｔ）が予め定めた第１基準温度（Ｔｓ１）以下になったときに、前記送風機（１７）の送風量を増加させるようになっていることを特徴とする冷蔵庫用冷凍機。
【請求項２】
前記制御手段（２０）は、前記圧縮機（１１）の冷媒吐出能力を制御する機能を有し、
前記制御手段（２０）は、前記吹出空気温度（Ｔｏｕｔ）が前記第１基準温度（Ｔｓ１）以下になったときに、前記圧縮機（１１）の冷媒吐出能力を低下させるようになっていることを特徴とする請求項１に記載の冷蔵庫用冷凍機。
【請求項３】
前記制御手段（２０）は、前記吹出空気温度（Ｔｏｕｔ）が前記第１基準温度（Ｔｓ１）以下になり、かつ、前記送風機（１７）の送風量が最大風量になっているときに、前記圧縮機（１１）の冷媒吐出能力を低下させるようになっていることを特徴とする請求項２に記載の冷蔵庫用冷凍機。
【請求項４】
前記庫内の庫内温度（Ｔｉｎ）を検出する庫内温度検出手段（２３）と、
前記庫内の目標温度（Ｔｓｅｔ）を設定する目標温度設定手段（２５）とを備え、
前記制御手段（２０）は、前記庫内温度（Ｔｉｎ）から前記目標温度（Ｔｓｅｔ）を減算した値（Ｔｃ）が予め定めた第２基準値（Ｔｓ２）以上になり、かつ、前記吹出空気温度（Ｔｏｕｔ）が前記第１基準値（Ｔｓ１）以下になり、さらに、前記送風機（１７）の送風量が最大風量になっているときに、前記圧縮機（１１）の冷媒吐出能力を低下させるようになっていることを特徴とする請求項３に記載の冷蔵庫用冷凍機。
【請求項５】
前記制御手段（２０）は、前記吹出空気温度（Ｔｏｕｔ）が前記第１基準温度（Ｔｓ１）以下になり、かつ、前記圧縮機（１１）の冷媒吐出能力が最小モードになっているときに、前記送風機（１７）の送風量を増加させるようになっていることを特徴とする請求項２に記載の冷蔵庫用冷凍機。
【請求項６】
前記予め定めた第１基準温度（Ｔｓ１）は、前記庫内に収容される冷却対象物の凍結温度よりも高い値であることを特徴とする請求項１ないし５のいずれか１つに記載の冷蔵庫用冷凍機。
【発明の詳細な説明】
【技術分野】
【０００１】
本発明は、食品等を冷蔵保存する冷蔵庫用冷凍機に関するもので、食品等を冷蔵保存して運搬する冷蔵車両に適用して有効である。
【背景技術】
【０００２】
従来、特許文献１に、冷却対象物である食品等を冷蔵保存して運搬する冷蔵車両が開示されている。この特許文献１の冷蔵車両では、冷蔵庫内壁面近傍にのみに冷風を吹き出し、さらに、吹き出した冷風を冷蔵庫内壁面近傍から吸い込んで強制循環させている。これにより、冷却対象空間である庫内のうち冷却対象物が載置される部位を無風状態に維持し、冷却対象物の局部的凍結を防止している。
【特許文献１】実開平５−２９８１２号公報
【発明の開示】
【発明が解決しようとする課題】
【０００３】
しかしながら、特許文献１の冷蔵車両では、冷却対象物が載置される部位を無風状態にしているので、冷却対象物に向かって直接冷風を吹き出す場合に対して、冷却対象物を冷却しにくい。そのため、冷却対象物を充分に冷却するためには、冷蔵庫内壁面近傍を必要以上に冷却しなければならないので、冷蔵庫用冷凍機の消費エネルギーが増大してしまう。
【０００４】
本発明は、上記点に鑑み、消費エネルギーの増大を招くことなく冷却対象物の凍結を防止できる冷蔵庫用冷凍機を提供することを目的とする。
【課題を解決するための手段】
【０００５】
上記の目的を達成するため、本発明では、冷却対象空間である庫内へ空気を送風する送風機（１７）と、送風機（１７）から送風された送風空気と冷媒とを熱交換させて冷媒を蒸発させる蒸発器（１６）と、蒸発器（１６）とともに冷凍サイクルを構成し、蒸発器（１６）下流側冷媒を圧縮して吐出する圧縮機（１１）と、送風機（１７）の送風量を制御する制御手段（２０）と、蒸発器（１６）から庫内へ吹き出す吹出空気温度（Ｔｏｕｔ）を検出する吹出温度検出手段（２２）とを備え、制御手段（２０）は、吹出空気温度（Ｔｏｕｔ）が予め定めた第１基準温度（Ｔｓ１）以下になったときに、送風機（１７）の送風量を増加させるようになっている冷蔵庫用冷凍機を特徴とする。
【０００６】
これによれば、吹出空気温度（Ｔｏｕｔ）が予め定めた第１基準温度（Ｔｓ１）以下になったときに、制御手段（２０）が送風機（１７）の送風量を増加させるので、蒸発器（１６）において冷媒が単位送風量あたりの送風空気から吸熱する吸熱量を低減させることができる。その結果、吹出空気温度（Ｔｏｕｔ）を上昇させることができる。
【０００７】
従って、第１基準温度（Ｔｓ１）を、例えば、庫内に収容される冷却対象物の凍結温度よりも高い値に設定しておくことで、蒸発器（１６）から冷却対象物に向かって直接冷風を吹き出しても冷却対象物を凍結させることがない。さらに、冷却対象物に向かって直接冷風を吹き出して冷却対象物を冷却するので、冷蔵庫用冷凍機の消費エネルギーの増大を招くこともない。
【０００８】
また、上記特徴の冷蔵庫用冷凍機において、制御手段（２０）は、圧縮機（１１）の冷媒吐出能力を制御する機能を有し、制御手段（２０）は、吹出空気温度（Ｔｏｕｔ）が第１基準温度（Ｔｓ１）以下になったときに、圧縮機（１１）の冷媒吐出能力を低下させるようになっていてもよい。
【０００９】
これによれば、吹出空気温度（Ｔｏｕｔ）が第１基準温度（Ｔｓ１）以下になったときに、制御手段（２０）が圧縮機（１１）の冷媒吐出能力を低下させるので、冷蔵庫用冷凍機の冷凍能力自体を低減させて、吹出空気温度（Ｔｏｕｔ）を上昇させることができる。その結果、確実に冷却対象物の凍結を防止できる。
【００１０】
さらに、上記の冷蔵庫用冷凍機において、制御手段（２０）は、吹出空気温度（Ｔｏｕｔ）が第１基準温度（Ｔｓ１）以下になり、かつ、送風機（１７）の送風量が最大風量になっているときに、圧縮機（１１）の冷媒吐出能力を低下させるようになっていてもよい。
【００１１】
これによれば、吹出空気温度（Ｔｏｕｔ）を上昇させる手段として、圧縮機（１１）の冷媒吐出能力を低下させる手段に対して、送風機（１７）の送風量を増加させる手段を優先できるので、冷蔵庫用冷凍機の冷凍能力を不必要に低減させることを回避できる。しかも、送風機（１７）の送風量の増加と圧縮機（１１）の冷媒吐出能力の低減とを同時に行う場合に対して、吹出空気温度（Ｔｏｕｔ）が急激に上昇してしまうことも回避できる。
【００１２】
さらに、上記の冷蔵庫用冷凍機において、庫内の庫内温度（Ｔｉｎ）を検出する庫内温度検出手段（２３）と、庫内の目標温度（Ｔｓｅｔ）を設定する目標温度設定手段（２５）とを備え、制御手段（２０）は、庫内温度（Ｔｉｎ）から目標温度（Ｔｓｅｔ）を減算した値（Ｔｃ）が予め定めた第２基準値（Ｔｓ２）以上になり、かつ、吹出空気温度（Ｔｏｕｔ）が第１基準値（Ｔｓ１）以下になり、さらに、送風機（１７）の送風量が最大風量になっているときに、圧縮機（１１）の冷媒吐出能力を低下させるようになっていてもよい。
【００１３】
ここで、庫内温度（Ｔｉｎ）から目標温度（Ｔｓｅｔ）を減算した値が予め定めた第２基準値以上になっているときは、庫内温度Ｔｉｎを急速に低下させる必要があり、冷蔵庫用冷凍機の冷凍能力が不足しやすくなる。
【００１４】
これに対して、本発明によれば、冷蔵庫用冷凍機の冷凍能力が不足しやすい際に、吹出空気温度（Ｔｏｕｔ）を上昇させる手段として、圧縮機（１１）の冷媒吐出能力を低下させる手段に対して、送風機（１７）の送風量を増加させる手段を優先できるので、より一層適切に冷凍能力の不必要な低減を回避できる。
【００１５】
また、上述の特徴の冷蔵庫用冷凍機において、制御手段（２０）は、吹出空気温度（Ｔｏｕｔ）が第１基準温度（Ｔｓ１）以下になり、かつ、圧縮機（１１）の冷媒吐出能力が最小モードになっているときに、送風機（１７）の送風量を増加させるようになっていてもよい。
【００１６】
このように、制御手段（２０）が、吹出空気温度（Ｔｏｕｔ）を上昇させる手段として、送風機（１７）の送風量を増加させる手段に対して、圧縮機（１１）の冷媒吐出能力の低減させる手段を優先しても、急激に吹出空気温度（Ｔｏｕｔ）が上昇してしまうことを回避できる。
【００１７】
なお、本発明における圧縮機（１１）の冷媒吐出能力の最小モードとは、圧縮機（１１）が冷媒を最小流量で吐出している状態のみを意味するものではなく、圧縮機（１１）が冷媒を吐出しない状態を含む意味である。
【００１８】
また、上述の特徴の冷蔵庫用冷凍機において、予め定めた第１基準温度（Ｔｓ１）は、庫内に収容される冷却対象物の凍結温度よりも高い値とすればよい。
【００１９】
なお、この欄および特許請求の範囲で記載した各手段の括弧内の符号は、後述する実施形態に記載の具体的手段との対応関係を示すものである。
【発明を実施するための最良の形態】
【００２０】
図１〜５により、本発明の一実施形態について説明する。図１は本発明の冷蔵庫用冷凍機１０が適用された冷蔵車両の模式図であり、冷蔵庫用冷凍機１０の概略的な車両搭載状態を示している。なお、冷蔵車両とは、食品・飲料等の冷却対象物を１〜１０℃程度の低温で保存して運搬する車両であり、冷凍車、冷凍車両等とも呼ばれる。
【００２１】
冷蔵車両は、車両最前部に配置された車室（運転室）１の後方に冷却対象物を収容する冷蔵室２を有している。従って、この冷蔵庫２の庫内が冷蔵庫用冷凍機１０によって冷却される冷却対象空間となる。また、冷蔵庫２の後部には、冷却対象物を搬入・搬出するための開口部３を開閉する開閉ドア４が設けられている。
【００２２】
次に、図２により、冷蔵庫用冷凍機１０の詳細について説明する。図２は、本実施形態の冷蔵庫用冷凍機１０の全体構成図である。
【００２３】
まず、冷蔵庫用冷凍機１０において、圧縮機１１は、後述する蒸発器１６下流側の冷媒を吸入、圧縮および吐出するものであり、電磁クラッチ１１ａおよびベルトＶを介して車両走行用エンジンＥより駆動力が伝達されて回転駆動される。本実施形態では、圧縮機１１として、外部からの制御信号により冷媒吐出能力を可変制御できる周知の斜板式可変容量型圧縮機を採用している。
【００２４】
斜板式可変容量型圧縮機は、吐出容量の変更することで冷媒吐出能力を調整可能に構成されている。この吐出容量は、圧縮機１１内部に構成された斜板室（図示せず）の圧力を制御して、斜板の傾斜角度を変更してピストンのストロークを変化させることによって変更される。なお、吐出容量とは、冷媒の吸入圧縮を行う作動空間の幾何学的な容積であり、具体的には、ピストンストロークの上死点と下死点との間のシリンダ容積である。
【００２５】
さらに、斜板室の圧力は、吐出冷媒（高圧冷媒）と吸入冷媒（低圧冷媒）とを斜板室に導入させる割合を変化させる電磁式容量制御弁１１ｂによって制御され、吐出容量を略０％〜１００％の範囲で変化させることができる。なお、電磁式容量制御弁１１ｂは、後述する制御装置２０から出力される制御電流Ｉｎによって駆動される。
【００２６】
また、圧縮機１１では、前述の如く、吐出容量を変化させることができるので、吐出容量を略０％付近に減少させることにより、圧縮機１１を実質的に作動停止状態にすることができる。従って、圧縮機１１の回転軸をプーリ、ベルトを介して車両エンジンに常時連結するクラッチレスの構成としてもよい。
【００２７】
圧縮機１１の冷媒吐出側には、凝縮器１２が接続されている。凝縮器１２は、圧縮機１１から吐出された冷媒と送風機１３によって送風された外気とを熱交換させて、冷媒を冷却する放熱器である。送風機１３は、遠心式の送風ファンを電動モータにより回転駆動する電動式送風機であり、後述する制御装置２０から出力される制御電圧によって回転駆動される。
【００２８】
凝縮器１２から流出した冷媒は、冷媒を気相冷媒と液相冷媒とに分離して余剰冷媒を貯える気液分離器１４（レシーバ）に流入する。気液分離器１４の液相冷媒出口側には、膨張弁１５が接続されている。この膨張弁１５は、気液分離器１４で分離された液相冷媒を減圧膨張させるもので、本実施形態では、周知の温度式膨張弁を採用している。
【００２９】
具体的には、膨張弁１５は圧縮機１１の吸入側通路に配置された感温部１５ａを有しており、圧縮機１１の吸入側冷媒の温度と圧力とに基づいて圧縮機吸入側冷媒の過熱度を検出し、圧縮機吸入側冷媒の過熱度が予め設定された所定値となるように弁開度を調整する構成になっている。
【００３０】
膨張弁１５の冷媒出口側には、蒸発器１６が接続されている。蒸発器１６は、膨張弁１５にて減圧膨張された冷媒と送風機１７によって送風された送風空気とを熱交換させて冷媒を蒸発させるもので、冷媒を蒸発させる際に吸熱作用を発揮させて送風空気を冷却する冷却器である。
【００３１】
なお、蒸発器１６は、図１に示すように、冷蔵庫２の庫内の車両前方側上部に搭載されており、ここから冷却対象物に向かって直接冷風を吹き出すように配置されている。
【００３２】
また、送風機１７は、遠心式の送風ファンを電動モータにより回転駆動する電動式送風機であり、後述する制御装置２０から出力される制御電圧によって回転数制御され、送風量が制御される。さらに、送風機１７は庫内空気を吸い込んで再び庫内に向かって循環送風するようになっている。
【００３３】
そして、蒸発器１６の冷媒出口側には、圧縮機１１の冷媒吸入側が接続される。従って、本実施形態では、圧縮機１１→凝縮器１２→気液分離器１４→膨張弁１５→蒸発器１６→圧縮機１１の順で冷媒が循環する周知の蒸気圧縮式の冷凍サイクルが構成される。
【００３４】
次に、本実施形態の電気制御部の概要を説明すると、制御装置２０は、ＣＰＵ、ＲＯＭおよびＲＡＭ等を含む周知のマイクロコンピュータとその周辺回路から構成される。この制御装置２０は、そのＲＯＭ内に空調装置制御用のプログラムを記憶しており、このプログラムに基づいて各種演算、処理を行う。
【００３５】
制御装置２０の入力側には庫内温度制御用センサ群からセンサ検出信号が入力され、また、車室１内前部の計器盤付近に配置される冷蔵庫操作パネル２１に設けられた各種操作スイッチから操作信号が入力される。
【００３６】
庫内温度制御用センサ群としては、具体的には、蒸発器１６の空気吹出部に配置されて蒸発器１６から庫内へ吹き出す吹出空気温度Ｔｏｕｔを検出する蒸発器温度センサ２２、送風機１７の空気吸込部に配置されて庫内温度Ｔｉｎを検出する庫内温度センサ２３等が設けられる。従って、本実施形態では、蒸発器温度センサ２２が吹出温度検出手段となり、庫内温度センサ２３が庫内温度検出手段となる。
【００３７】
冷蔵庫操作パネル２１には各種操作スイッチとして、冷蔵庫用冷凍装置１０の作動開始信号を出力する作動スイッチ２４、庫内の目標温度を設定する目標温度設定手段をなす温度設定スイッチ２５等が設けられる。
【００３８】
一方、制御装置２０の出力側には、圧縮機１１の電磁クラッチ１１ａ、電磁式容量制御弁１１ｂ、送風機１３、１７等が接続され、これらの機器の作動が制御装置２０の出力信号により制御される。従って、制御装置２０は、送風機１７の送風量を制御するとともに、圧縮機１１の冷媒吐出能力を制御する制御手段を構成する。
【００３９】
次に、本実施形態において、制御装置２０が実行する制御処理を図３のフローチャートにより説明する。この制御ルーチンは、図示しない車両走行用エンジンのイグニッションスイッチの投入状態で、作動スイッチ２４が投入されるとスタートする。
【００４０】
まず、ステップＳ１ではフラグ、タイマ等の初期化および冷蔵庫用冷凍機１０の各構成機器の初期設定を行う。各構成機器の初期設定としては、具体的に、圧縮機１１の電磁クラッチ１１ａをオン状態（接続状態）にし、圧縮機１１の冷媒吐出能力が最大吐出モードとなるように制御電流Ｉｎを設定し、送風機１７の送風量が通常風量モードとなるように設定する。
【００４１】
ここで、本実施形態の制御装置２０では、圧縮機１１の冷媒吐出能力を最大モードから最小モードまで数段階に能力制御している。従って、最大吐出モードでは圧縮機１１の冷媒吐出能力が最大となるように電磁式容量制御弁１１ｂの制御電流Ｉｎを出力し、最小吐出モードでは圧縮機１１の冷媒吐出能力が最小となるように制御電流Ｉｎを出力する。
【００４２】
なお、本実施形態における圧縮機１１の最小吐出モードは、圧縮機１１が冷媒を最小流量で吐出している状態を意味し、圧縮機１１が冷媒に吐出しない状態を含まないこととする。従って、以下の説明では、圧縮機１１が冷媒を吐出しない状態をオフ・モードと呼ぶ。もちろん、最小吐出モードに圧縮機１１が冷媒を吐出しない状態を含めてもよい。
【００４３】
また、このオフ・モードでは、具体的に、制御装置２０が電磁クラッチ１１ａへの通電をオフしてもよいし、圧縮機１１の吐出容量を略０％付近に減少させるように電磁式容量制御弁１１ｂの制御電流Ｉｎを出力してもよい。
【００４４】
さらに、本実施形態では、制御装置２０は、送風機１７の送風量を最大風量モード、通常風量モードの２段階に能力制御している。つまり、最大風量モードでは送風機１７の送風量が最大となるように制御電圧を出力し、通常風量モードでは、最大風量よりも少ない風量であって、予め定めた風量となるように制御電圧を出力する。
【００４５】
次に、ステップＳ２にて冷蔵庫操作パネル２１の操作信号を読込み、次のステップＳ３にて庫内温度制御用センサ群により検出された検出信号を読込み、さらに、次のステップＳ４にて庫内温度センサ２３によって検出された庫内温度Ｔｉｎから温度設定スイッチ２５によって設定された目標温度Ｔｓｅｔを減算した値Ｔｃを算出してステップＳ５へ進む。
【００４６】
ステップＳ５では、Ｔｃが予め定めた第２基準値Ｔｓ２（本実施形態では、Ｔｓ２＝３℃）以上になっているか否かを判定する。ＴｃがＴｓ２以上になっている場合は、庫内温度Ｔｉｎが目標温度Ｔｓｅｔに対して高くなっており、庫内温度Ｔｉｎを急速に低下させるクールダウン制御を行う必要があるものとして、ステップＳ６へ進み、クールダウン制御を行う。なお、ステップＳ６のクールダウン制御の詳細については後述する。
【００４７】
ステップＳ５にてＴｃがＴｓ２以上になっていない場合は、ステップＳ７へ進み、Ｔｃが０℃以下になっているか否かを判定する。Ｔｃが０℃以下になっている場合は、庫内温度Ｔｉｎが目標温度Ｔｓｅｔ以下になっており、庫内が所望の温度まで充分に冷却されているものとして、ステップＳ８に進み、圧縮機１１をオフ・モードにしてステップ１０に進む。
【００４８】
ステップＳ７にてＴｃが０℃以下になってない場合は、庫内温度Ｔｉｎを目標温度Ｔｓｅｔに近づける通常制御を行う必要があるものとして、ステップＳ９へ進み、通常制御を行う。なお、ステップＳ９の通常制御の詳細については後述する。
【００４９】
ステップＳ１０では、制御周期τ（本実施形態では、τ＝１０秒）の間待機し、制御周期τの経過を判定するとステップＳ２に戻るようになっている。
【００５０】
次に、ステップＳ６のクールダウン制御の詳細について、図４のフローチャートにより説明する。まず、ステップＳ６０１にて吹出空気温度Ｔｏｕｔが予め定めた第１基準値Ｔｓ１（本実施形態では、Ｔｓ１＝１℃）以下になっているか否かを判定する。このＴｓ１は、庫内に収容される冷却対象物の凍結温度よりも高い値として決定される。
【００５１】
前述の如く、本実施形態では、蒸発器１６から冷却対象物に向かって直接冷風を吹き出すようになっているので、吹出空気温度Ｔｏｕｔが冷却対象物の凍結温度以下になると、冷却対象物が凍結するおそれがある。
【００５２】
そこで、ステップＳ６０１にて吹出空気温度ＴｏｕｔがＴｓ１以下になっている場合は、冷却対象物が凍結するおそれがあるものとして、ステップＳ６０２に進み、送風機１７を強制的に最大風量モードにして、ステップＳ６０３へ進む。ステップＳ６０３では、圧縮機１１が最小吐出モードになっているか否かを判定する。
【００５３】
ステップＳ６０３にて圧縮機１１が最小吐出モードになっている場合は、ステップＳ６０４にて圧縮機１１をオフ・モードにして、ステップＳ１０へ進む。一方、ステップＳ６０３にて圧縮機１１が最小吐出モードになっていない場合は、ステップＳ６０５にて圧縮機１１の吐出能力を一段階低下させてステップＳ１０へ進む。
【００５４】
また、ステップＳ６０１にて吹出空気温度ＴｏｕｔがＴｓ１以下になっていない場合は、冷却対象物が凍結するおそれがないものとして、ステップＳ６０６へ進み、吹出空気温度Ｔｏｕｔが３℃以上になっているか否かを判定する。吹出空気温度Ｔｏｕｔが３℃以上になっている場合は、冷蔵庫用冷凍機１０の冷凍能力が不足しているものとして、ステップＳ６０７へ進む。
【００５５】
ステップＳ６０７では、圧縮機１１が最大吐出モードになっているか否かを判定する。ステップＳ６０７にて圧縮機１１が最大吐出モードになっている場合は、ステップＳ６０８にて送風機１７を強制的に通常風量モードにして、ステップＳ１０へ進む。一方、ステップＳ６０７にて圧縮機１１が最大吐出モードになっていない場合は、ステップＳ６０９にて圧縮機１１の吐出能力を一段階増加させてステップＳ１０へ進む。
【００５６】
また、ステップＳ６０６にて吹出空気温度Ｔｏｕｔが３℃以上になっていない場合は、冷蔵庫用冷凍機１０の冷凍能力は不足していないものとして、ステップＳ１０へ進む。
【００５７】
次に、ステップＳ９の通常制御の詳細について、図５のフローチャートにより説明する。まず、ステップＳ９０１にて吹出空気温度Ｔｏｕｔが３℃以上になっているか否かを判定する。吹出空気温度Ｔｏｕｔが３℃以上になっている場合は、冷蔵庫用冷凍機１０の冷凍能力が不足しているものとして、ステップＳ９０２へ進む。
【００５８】
ステップＳ９０２では、送風機１７を強制的に通常風量モードにして、ステップＳ９０３へ進む。ステップＳ９０３では、圧縮機１１が最大吐出モードになっているか否かを判定する。
【００５９】
ステップＳ９０３にて圧縮機１１が最大吐出モードになっている場合は、ステップＳ１０へ進む。一方、ステップＳ９０３にて圧縮機１１が最大吐出モードになっていない場合は、ステップＳ９０４へ進み、圧縮機１１の吐出能力を一段階増加させてステップＳ１０へ進む。
【００６０】
また、ステップＳ９０１にて吹出空気温度Ｔｏｕｔが３℃以上になっていない場合は、冷蔵庫用冷凍機１０の冷凍能力は不足していないものとして、ステップＳ９０５に進み、吹出空気温度ＴｏｕｔがＴｓ１以下になっているか否かを判定する。前述の如く、吹出空気温度ＴｏｕｔがＴｓ１以下になると、冷却対象物が凍結するおそれがある。
【００６１】
そこで、ステップＳ９０５にて吹出空気温度ＴｏｕｔがＴｓ１以下になっている場合は、冷却対象物が凍結するおそれがあるものとして、ステップＳ９０６に進み、圧縮機１１が最小吐出モードになっているか否かを判定する。ステップＳ９０６にて圧縮機１１が最小吐出モードになっている場合は、ステップＳ９０７へ進み、送風機１７が最大風量モードになっているか否かを判定する。
【００６２】
ステップＳ９０７にて送風機１７が最大風量モードになっている場合は、ステップＳ９０８にて圧縮機１１をオフ・モードにして、ステップＳ１０へ進む。一方、ステップＳ９０７にて送風機１７が最大風量モードになっていない場合は、ステップＳ９０９で送風機１７を強制的に最大風量モードにして、ステップＳ１０へ進む。
【００６３】
また、ステップＳ９０６にて圧縮機１１が最小吐出モードになっていない場合は、ステップＳ９１０にて送風機１７を強制的に通常風量モードにし、次のステップＳ９１１にて圧縮機１１の吐出能力を一段階低下させて、ステップＳ１０へ進む。さらに、ステップＳ９０５にて吹出空気温度ＴｏｕｔがＴｓ１以下になっていない場合は、冷却対象物が凍結するおそれがないものとして、ステップＳ１０へ進む。
【００６４】
本実施形態の冷蔵車両では、上記の制御を行うので、クールダウン制御および通常制御のいずれにおいても、吹出空気温度ＴｏｕｔがＴｓ１（１℃）以下になると、送風機１７の送風量を増加させ、さらに、圧縮機１１の冷媒吐出能力を低下させるので、吹出空気温度Ｔｏｕｔを上昇させることができる。
【００６５】
その結果、蒸発器１６から冷却対象物に向かって直接冷風を吹き出しても冷却対象物の凍結を確実に防止できる。さらに、冷却対象物に向かって直接冷風を吹き出すことができるので、冷蔵庫用冷凍機の消費エネルギーを増大させることもない。
【００６６】
さらに、庫内温度Ｔｉｎから目標温度Ｔｓｅｔを減算した値が予め定めた第２基準値以上になっている場合のように冷蔵庫用冷凍機１０の冷凍能力が不足するクールダウン制御においては、吹出空気温度Ｔｏｕｔを上昇させるために、圧縮機１１の冷媒吐出能力を低下させる手段に対して、送風機１７の送風量を増加させる手段を優先しているので、冷蔵庫用冷凍機の冷凍能力を不必要に低減させることを回避できる。
【００６７】
また、通常制御においては、吹出空気温度Ｔｏｕｔを上昇させるために、送風機１７の送風量を増加させることに対して、圧縮機１１の冷媒吐出能力の低減させることを優先しても、急激に吹出空気温度Ｔｏｕｔが上昇してしまうことを回避できる。
【００６８】
（他の実施形態）
本発明は上述の実施形態に限定されることなく、以下のように種々変形可能である。
【００６９】
（１）上述の実施形態では、圧縮機１１では、斜板式可変容量型圧縮機を採用して冷媒吐出能力を採用したが、可変容量型圧縮機の型式はこれに限定されない。また、制御装置２０が電磁式容量制御弁１１ｂへ出力する制御電流Ｉｎを変更することで、冷媒吐出能力を調整しているが、冷媒吐出能力の調整はこれに限定されない。
【００７０】
例えば、電動モータで駆動される電動圧縮機を採用して、モータの回転数制御を変更することで冷媒吐出能力を調整してもよい。さらに、固定容量型圧縮機を採用して、電磁クラッチ１１ａへの通電を断続制御することによって、圧縮機の作動時間と非作動時間の比率（稼働率）を変更することで冷媒吐出能力を調整してもよい。
【００７１】
（２）上述の実施形態では、クールダウン制御および通常制御の双方の制御において、制御装置２０が、送風機１７の送風量を増加させる制御および圧縮機１１の冷媒吐出能力を低下させる制御を行って吹出空気温度Ｔｏｕｔを上昇させているが、いずれか一方の制御を行うようにしてもよい。
【００７２】
例えば、冷蔵庫用冷凍機１０の冷凍能力が不足するクールダウン制御では、送風機１７の送風量を増加させる制御のみを行い、通常制御では、圧縮機１１の冷媒吐出能力を低下させる制御のみを行って、吹出空気温度Ｔｏｕｔを上昇させてもよい。
【００７３】
（３）上述の実施形態では、制御装置２０が送風機１７の送風量を最大風量モード、通常風量モードの２段階に能力制御しているが、さらに、多段階に能力制御してもよい。これにより、送風機１７の送風量を増加させることによる吹出空気温度Ｔｏｕｔの上昇度合を適切に調整できる。
【００７４】
（４）上述の実施形態では、ステップＳ６０６およびＳ９０１に示すように、吹出空気温度Ｔｏｕｔが３℃以上の場合は、冷蔵庫用冷凍機１０の冷凍能力が不足しているもの判定しているが、この判定基準値として他の値を採用してもよい。さらに、冷蔵庫操作パネル２１にて上記の判定基準値を設定できるようにしてもよい。
【００７５】
（５）上述の実施形態では、第１基準値Ｔｓ１を１℃とし、第２基準値Ｔｓ２を３℃としているが、それぞれ他の値を採用してもよい。すなわち、第１基準値Ｔｓ１は、庫内に収容される冷却対象物の凍結温度よりも高い値として決定すればよく、第２基準値Ｔｓ２は、クールダウン制御が必要か否かを判断できる値として決定すればよい。
【図面の簡単な説明】
【００７６】
【図１】一実施形態の冷蔵庫用冷凍機が適用された冷蔵車両の模式図である。
【図２】一実施形態の冷蔵庫用冷凍機の全体構成図である。
【図３】一実施形態の制御装置の制御を示すフローチャートである。
【図４】一実施形態の制御装置の制御の要部を示すフローチャートである。
【図５】一実施形態の制御装置の制御の別の要部を示すフローチャートである。
【符号の説明】
【００７７】
１１…圧縮機、１６…蒸発器、１７…送風機、２０…制御手段、
２２…吹出温度検出手段、２３…庫内温度検出手段、２５…目標温度設定手段、
Ｔｏｕｔ…吹出空気温度、Ｔｉｎ…庫内温度、Ｔｓｅｔ…目標温度、
Ｔｓ１…第１基準温度、Ｔｓ２…第２基準値。
【図１】
2008096028.tif 000003
【図２】
2008096028.tif 000004
【図３】
2008096028.tif 000005
【図４】
2008096028.tif 000006
【図５】
2008096028.tif 000007